(57)【特許請求の範囲】
【請求項１】
対向する伝送装置と接続される複数の伝送路光インタフェース部を有し、該伝送路光インタフェース部の１つを選択部により選択し、伝送路を介して対向する伝送装置と接続される伝送装置の伝送路インタフェース切替え方法において、
第1の伝送装置から送信した光信号を、対向する第２の伝送装置において、そのまま折返す折返し設定及び該折返し設定を解除する折返し解除設定を、伝送路光インタフェースの種別に対応した特定の時間間隔で繰返し行う過程と、
前記第１の伝送装置において、前記第２の伝送装置からの光信号を受信し、該光信号が特定の時間間隔で、受信有りの状態と無しの状態とを繰返しているかを判定する過程と、
前記第１の伝送装置において、前記光信号の受信有りの状態と無しの状態とが繰返される特定の時間間隔を基に、前記第２の伝送装置の使用する伝送路光インタフェース種別を特定し、該特定した伝送路光インタフェース種別の伝送路光インタフェース部に前記選択部の選択を切り替える過程と、
を含むことを特徴とする伝送路インタフェース切替え方法。
【請求項２】
ネットワークを監視する監視装置から指示された伝送路光インタフェース種別の伝送路光インタフェース部を選択するとともに、
前記選択した伝送路光インタフェース種別に対応した特定の時間間隔で、前記折返し設定及び該折返し設定を解除する折返し解除設定を、繰返し行うことを特徴とする請求項１に記載の伝送路インタフェース切替え方法。
【請求項３】
対向する伝送装置の接続に使用されている伝送路光インタフェース種別に故障が発生したことを検出したとき、該伝送路光インタフェース種別に対して予め定められた次の順番の伝送路光インタフェース種別の伝送路光インタフェース部を選択するとともに、
前記選択した伝送路光インタフェース種別に対応した特定の時間間隔で、前記折返し設定及び該折返し設定を解除する折返し解除設定を、繰返し行うことを特徴とする請求項１に記載の伝送路インタフェース切替え方法。
【請求項４】
複数の伝送路光インタフェース部を有し、該伝送路光インタフェース部の１つを選択部により選択し、伝送路を介して対向する伝送装置と接続される伝送装置において、
前記選択部と前記伝送路との間に設けられ、対向伝送装置からの光信号を該対向伝送装置へ向けてそのまま折返す折返し設定及び該折返し設定を解除する折返し解除設定を、伝送路光インタフェースの種別に対応した特定の時間間隔で繰返し行う光折返し部と、
前記対向する伝送装置からの光信号を受信する光信号検出部と、
前記光信号検出部で検出される光信号が特定の時間間隔で、受信有りの状態と無しの状態とが繰返されているかを判定する監視制御部と、
を備え、前記光信号の受信有りの状態と無しの状態とが繰返される特定の時間間隔を基に、前記対向する伝送装置の使用する伝送路光インタフェース種別を特定し、該特定した伝送路光インタフェース種別の伝送路光インタフェース部に前記選択部の選択を切り替えることを特徴とする伝送装置。
【請求項５】
ネットワークを監視する監視装置から指示された伝送路光インタフェース種別の伝送路光インタフェース部を選択するとともに、
前記光折返し部を、前記選択した伝送路光インタフェース種別に対応した特定の時間間隔で、折返し設定及び該折返し設定を解除する折返し解除設定を、繰返し行うことを特徴とする請求項４に記載の伝送装置。
【請求項６】
対向する伝送装置の接続に使用されている伝送路光インタフェース種別に故障が発生したことを検出したとき、該伝送路光インタフェース種別に対して予め定められた次の順番の伝送路光インタフェース種別の伝送路光インタフェース部を選択するとともに、
前記光折返し部を、前記選択した伝送路光インタフェース種別に対応した特定の時間間隔で、折返し設定及び該折返し設定を解除する折返し解除設定を、繰返し行うことを特徴とする請求項４に記載の伝送装置。
【発明の詳細な説明】
【技術分野】
【０００１】
本発明は、伝送路インタフェース切替え方法及び伝送装置に関し、特に、複数の伝送装置を伝送路で接続して構成されるネットワークシステムにおいて、各伝送装置で対向する伝送装置との間で使用可能な伝送路インタフェース種別を予め認識していなくても、自動的に対向伝送装置の伝送路インタフェース種別を認識し、該伝送路インタフェース種別に切替えて対向伝送装置と接続する伝送路インタフェース切替え方法及び伝送装置に関する。
【背景技術】
【０００２】
図４０は従来のネットワーク構成での異常接続時の一例を示している。同図に示す例において、伝送装置Ａは１５０Ｍインタフェースの光インタフェース種別しか有していないが、伝送装置Ｂは６００Ｍ、１５０Ｍ、５０Ｍ等の伝送路容量が異なる複数の光インタフェース種別を有する伝送装置である。
【０００３】
このような異なった伝送路インタフェース種別を有する伝送装置間で伝送路を接続する場合、図中のように、伝送装置Ｂ側にて伝送装置Ａとの間の伝送路を６００Ｍ光インタフェース部に誤って接続してしまうケースがある。このような接続誤りを起こした場合は、フレーム異常等の警報（ＡＬＭ）が発せられ、図４１のように、手動作業により伝送装置Ｂ側の接続を６００Ｍ光インタフェース部から１５０Ｍ光インタフェース部に切替えることで復旧処理を行っていた。
【０００４】
また、異なる伝送容量の伝送路インタフェース種別を有する伝送装置が互いに対向してネットワークを構成している場合に、各伝送装置に収用された端末のデータトラフィックの増大等に起因して、現在使用されている伝送路インタフェースからそれより大きな容量の伝送路インタフェースに切替える場合、ネットワークを監視している監視装置から、対向する伝送装置の両装置に対して、それぞれ伝送路インタフェース種別の切替え指示を行って、両伝送装置の伝送路インタフェース種別を切替えさせていた。
【０００５】
また、異なる伝送容量の伝送路インタフェース種別を有する伝送装置が互いに対向してネットワークを構成している場合に、対向する伝送装置の一方で伝送路インタフェース部に故障が発生し、他の伝送路インタフェース部に接続を切替える場合、ネットワークを監視する監視装置から対向する伝送装置の両装置に対して、それぞれ切替え先の伝送路インタフェース種別を指示して切替えを行っていた。
【０００６】
本発明に関連する先行技術文献として、下記の特許文献１には、複数の伝送レートが混在する通信機器を選択的に交換接続する光伝送路切替え装置に関し、複数の入出力系統の光伝送路を切り替える光スイッチと、この光スイッチの各出力端子に接続される光伝送路の少なくとも一部の端末に設けられ、前記光スイッチからの光信号を電気信号に変換し、この電気信号を被接続通信機器の電気信号に波形整形して出力する出力インタフェース部とを具備し、既知の伝送フォーマットのみならず、新たな伝送フォーマットの信号についても柔軟に対応して切替え可能な光伝送路切替装置について記載されている。
【０００７】
また、下記の特許文献２には、光ファイバ集合装置を設け、光信号によりデータを送受信する通信制御システムに関して、光ファイバ伝送路の経路切替えを行う経路切替え部と、該経路切替え部と光加入者線終局装置及び複数の光加入者線終端装置との間を接続し、且つ光信号レベルを検出する検出部を含む送受信モジュールと、該検出部からの検出信号を基に障害発生を判定して経路切替え部を制御して障害発生装置を切り離すインタフェース処理部とを備えた通信制御システムについて記載されている。
【特許文献１】特開２００５−６４５７６号公報
【特許文献２】特開２００３−２７３８６７号公報
【発明の開示】
【発明が解決しようとする課題】
【０００８】
対向する伝送装置と伝送路を介して接続する場合、対向伝送装置で使用可能な伝送路インタフェース種別を予め認識した上で伝送路を接続する必要があるが、前述のように、従来は、対向伝送装置の伝送路インタフェース種別に合わせて手動作業によって伝送路を接続していたため、誤って異なった伝送路インタフェース種別同士で接続してしまうことがあり、正しい接続に戻す場合でも手動作業によって接続の切替えを行っていた。このため、接続誤りの確認に要する伝送路インタフェース種別の切り分けの手間や、対向伝送装置が遠隔地に在る場合にはその設置場所までの移動等に多くの時間が掛かり、早期に正常復旧させることができないという問題があった。
【０００９】
そこで本発明では、対向する伝送装置の伝送路インタフェース種別を予め認識していない場合でも、自動的に対向伝送装置側の伝送路インタフェース種別を認識し、自装置をその伝送路インタフェース種別に合わせて切替えることで、伝送装置間を正しくかつ速やかに接続することができる伝送路インタフェース切替え方法及び伝送装置を提供することを目的とする。
【００１０】
また、異なる伝送容量の伝送路インタフェース種別を有し、互いに対向する伝送装置に対して、現状より大きな伝送路容量の伝送路インタフェース種別に切替える場合、ネットワークを監視する監視装置から、対向する伝送装置の両装置に対して伝送路インタフェース種別の切替え指示を行うことなく、一方の伝送装置に対して切替え指示を行うだけで、対向するもう一方の伝送装置で自動的に対向側の切替え先伝送路インタフェース種別を認識して切替えることができる伝送路インタフェース切替え方法及び伝送装置を提供することを目的とする。
【００１１】
また、異なる伝送容量の伝送路インタフェース種別を有し、互いに対向する伝送装置の一方の伝送路インタフェース部の故障が発生した場合、ネットワークを監視する監視装置から、対向する伝送装置の両装置に対して切替え先の伝送路インタフェース種別の指示を行うことなく、対向する伝送装置自身で自律的に相手側の切替え先伝送路インタフェース種別を認識して切替え、伝送装置間で障害伝送路の自動迂回を可能にする伝送路インタフェース切替え方法及び伝送装置を提供することを目的とする。
【課題を解決するための手段】
【００１２】
本発明の伝送路インタフェース切替え方法は、（１）対向する伝送装置と接続される複数の伝送路光インタフェース部を有し、該伝送路光インタフェース部の１つを選択部により選択し、伝送路を介して対向する伝送装置と接続される伝送装置の伝送路インタフェース切替え方法において、第1の伝送装置から送信した光信号を、対向する第２の伝送装置において、そのまま折返す折返し設定及び該折返し設定を解除する折返し解除設定を、伝送路光インタフェースの種別に対応した特定の時間間隔で繰返し行う過程と、前記第１の伝送装置において、前記第２の伝送装置からの光信号を受信し、該光信号が特定の時間間隔で、受信有りの状態と無しの状態とを繰返しているかを判定する過程と、
前記第１の伝送装置において、前記光信号の受信有りの状態と無しの状態とが繰返される特定の時間間隔を基に、前記第２の伝送装置の使用する伝送路光インタフェース種別を特定し、該特定した伝送路光インタフェース種別の伝送路光インタフェース部に前記選択部の選択を切り替える過程と、を含むことを特徴とする。
【００１３】
また、（２）ネットワークを監視する監視装置から指示された伝送路光インタフェース種別の伝送路光インタフェース部を選択するとともに、前記選択した伝送路光インタフェース種別に対応した特定の時間間隔で、前記折返し設定及び該折返し設定を解除する折返し解除設定を、繰返し行うことを特徴とする。
【００１４】
また、（３）対向する伝送装置の接続に使用されている伝送路光インタフェース種別に故障が発生したことを検出したとき、該伝送路光インタフェース種別に対して予め定められた次の順番の伝送路光インタフェース種別の伝送路光インタフェース部を選択するとともに、前記選択した伝送路光インタフェース種別に対応した特定の時間間隔で、前記折返し設定及び該折返し設定を解除する折返し解除設定を、繰返し行うことを特徴とする。
【００１５】
また、本発明の伝送装置は、（４）複数の伝送路光インタフェース部を有し、該伝送路光インタフェース部の１つを選択部により選択し、伝送路を介して対向する伝送装置と接続される伝送装置において、前記選択部と前記伝送路との間に設けられ、対向伝送装置からの光信号を該対向伝送装置へ向けてそのまま折返す折返し設定及び該折返し設定を解除する折返し解除設定を、伝送路光インタフェースの種別に対応した特定の時間間隔で繰返し行う光折返し部と、前記対向する伝送装置からの光信号を受信する光信号検出部と、前記光信号検出部で検出される光信号が特定の時間間隔で、受信有りの状態と無しの状態とが繰返されているかを判定する監視制御部と、を備え、前記光信号の受信有りの状態と無しの状態とが繰返される特定の時間間隔を基に、前記対向する伝送装置の使用する伝送路光インタフェース種別を特定し、該特定した伝送路光インタフェース種別の伝送路光インタフェース部に前記選択部の選択を切り替えることを特徴とする。
【００１６】
また、（５）ネットワークを監視する監視装置から指示された伝送路光インタフェース種別の伝送路光インタフェース部を選択するとともに、前記光折返し部を、前記選択した伝送路光インタフェース種別に対応した特定の時間間隔で、折返し設定及び該折返し設定を解除する折返し解除設定を、繰返し行うことを特徴とする。
【００１７】
また、（６）対向する伝送装置の接続に使用されている伝送路光インタフェース種別に故障が発生したことを検出したとき、該伝送路光インタフェース種別に対して予め定められた次の順番の伝送路光インタフェース種別の伝送路光インタフェース部を選択するとともに、前記光折返し部を、前記選択した伝送路光インタフェース種別に対応した特定の時間間隔で、折返し設定及び該折返し設定を解除する折返し解除設定を、繰返し行うことを特徴とする。
【発明の効果】
【００１８】
本発明によれば、自身の伝送装置と対向する伝送装置を新たに増設した場合などに、自身の伝送装置側で対向する伝送装置の使用伝送路光インタフェース種別を予め認識していなくても、対向する伝送装置で、使用伝送路光インタフェース種別に対応した断続パターンで、自身の伝送装置から送信した光信号を折返して送信し、該断続パターンを基に対向する伝送値側の伝送路光インタフェース種別を認識し、その光インタフェース種別に切替えることにより、容易に伝送装置間の接続を確立することができる。また、伝送装置間の接続誤りにより、異なった伝送路光インタフェース種別で伝送装置間が接続されていた場合であっても、その状態から適正な伝送路光インタフェース種別に接続を切替えることができ、誤接続状態を自動的にリカバリすることができる。
【００１９】
また、本発明では、ネットワーク監視装置から対向する伝送装置間の伝送路光インタフェース種別を切替える場合に、ネットワーク監視装置から監視可能な一方の伝送装置に対して切替え指示を行うだけで、対向する他方の伝送装置は自動的に追従して伝送路光インタフェース種別を切替えるため、ネットワーク監視装置から一方の伝送装置しか監視できない状態であっても、対向する伝送装置間の伝送路光インタフェース種別の自動切替えが可能となる。
【００２０】
また、本発明では、対向する伝送装置間の一方の伝送装置で伝送路光インタフェース部が故障し、迂回先の伝送路光インタフェース部に切替える場合に、対向するもう他方の伝送装置が自動的に追従して伝送路光インタフェース種別を切替えるため、伝送装置間で障害伝送路の自動迂回が可能となる。
【発明を実施するための最良の形態】
【００２１】
図１は本発明の伝送装置内の全体の機能ブロックを示し、図２は本発明の伝送路インタフェース部情報のデータベース構成を示し、図３〜図５に本発明による接続異常に対するインタフェース切替え動作を示し、図６〜図８は本発明による切替え指示（コマンド）によるインタフェース切替え動作を示し、図９〜図１１は本発明による障害伝送路迂回のためのインタフェース切替え動作を示し、図１２は伝送路フレームのフォーマットを示し、図１３は本発明による上流装置側の立ち上げ処理フローを示し、図１４及び図１５は本発明による下流装置側の立ち上げ処理フローを示し、図１６は本発明によるインタフェース部監視処理のフローを示し、図１７は本発明によるコマンド切替え処理のフローを示し、図１８は本発明による警報（ＡＬＭ）時の迂回切替え処理のフローを示す。
【００２２】
また、図１９〜図２１は本発明の立ち上げ時の切替え動作の実施例を示し、図２２及び図２３は本発明のコマンドによる切替え動作の実施例を示し、図２４及び図２５は本発明の警報（ＡＬＭ）時の迂回切替えの動作の実施例を示し、図２６〜図３０は本発明の伝送路インタフェース情報のデータベース構成の実施例を示し、図３１〜図３５は本発明の立ち上げ時の切替え動作の実施例のシーケンスを示し、図３６〜図３７は本発明のコマンドによる切替え動作の実施例のシーケンスを示し、図３８及び図３９は本発明の迂回切替え動作の実施例のシーケンスを示している。
【００２３】
図１において、１−１は方路＃ｘ（ｘ＝１〜ｎ）毎の切替え部で、光インタフェース部の送受光信号の選択を切替える機能を有する。１−２は光受信検出部で、光信号の受信有無を検出する。１−３は光折返し部で、選択部１−４で選択された光信号を送出するか、光受信検出部１−２で受信した光信号をそのまま折り返して送出するかの切替え機能を有する。
【００２４】
１−４は選択部で、その方路＃ｘ（ｘ＝１〜ｎ）切替え部１−１配下に収容された各光インタフェース部１−５〜１−８から送出された光信号の１つを選択して送出し、また、光受信検出部１−２で受信した光信号を各光インタフェース部１−５〜１−８に並列に送出する。１−５〜１−８は各光インタフェース部で、多重化部１−９で多重化されたデータをそれぞれの伝送路フレームに変換し、光信号に変換して方路＃ｘ切替え部１−１へ送信する。
【００２５】
１−５は２．４Ｇ光インタフェース部で伝送路容量は２．４Ｇビット／ｓｅｃ、１−６は６００Ｍ光インタフェース部で伝送路容量は６００Ｍビット／ｓｅｃ、１−７は１５０Ｍ光インタフェース部で伝送路容量は１５０Ｍビット／ｓｅｃ、１−８は５０Ｍ光インタフェース部で伝送路容量は５０Ｍビット／ｓｅｃである。
【００２６】
方路＃ｘ切替え部１−１及びその配下で対向伝送装置と対となる各光インタフェース部１−５〜１−８は、それぞれ複数種別備えられる構成となっている。１−９は多重化部で各端末インタフェース部１−１０の入出力データを多重化／分離化する。１−１０は端末インタフェース部で、端末からのデータを収容する。端末からの各データは、図１２に示すように、各伝送路フレームのペイロード部分にアサインされる。伝送路フレームは光インタフェース種別毎にフレーム構造が異なり、各伝送路フレームは、オーバヘッド（ＯＨ）部とペイロード部とで構成される。
【００２７】
１−１１は監視制御部で、伝送装置内の各機能部に対して定期的に監視を行い、警報（ＡＬＭ）の検出や、各機能部に対する種々の制御を行う。１−１２はデータベース記憶部で、図２に示す伝送路インタフェース部情報等のデータを格納する。１−１３はネットワーク監視装置インタフェース部で、伝送装置に接続されるネットワーク監視装置との通信インタフェース機能を有する。
【００２８】
図２のインタフェース部情報は、方路＃ｘ（ｘ＝１〜ｎ）単位毎に、伝送路光インタフェース種別のデフォルト使用識別の値と、その伝送路に対して自装置が上流側に位置するのか下流側に位置するのかを示す基準識別の値と、各伝送路光インタフェース種別を認識するための認識時間とが設定される。該認識時間として、光の受信中時間及び受信停止中時間が設定される。また、前記基準識別の値は、対向する伝送装置間で同じ値にならないように設定される。
【００２９】
また、伝送路光インタフェース部の故障検出時における自動迂回先光インタフェース種別としては、故障した伝送路光インタフェース部の伝送容量より１つ少ない伝送容量の伝送路光インタフェース種別に切替えるよう、迂回切替え条件として予め設定しておくものとする。
【００３０】
即ち、２．４Ｇ光インタフェース部が故障のときは６００Ｍ光インタフェース部へ切替え、６００Ｍ光インタフェース部が故障のときは１５０Ｍ光インタフェース部へ切替え、１５０Ｍ光インタフェース部が故障のときは５０Ｍ光インタフェース部へ切替え、５０Ｍ光インタフェース部が故障のときは迂回切替先無しとする。
【００３１】
本発明の動作を、同一機能を有する伝送装置同士が対向接続されている場合について説明する。図３に示すように、伝送装置Ａと伝送装置Ｂとが対向してネットワークを構成している場合、伝送路インタフェース情報のデータベースのテーブルに、伝送装置Ｂの方路＃１に関して、基準識別＝上流、デフォルト使用インタフェース種別＝６００Ｍインタフェース、が設定され、伝送装置Ａの方路＃１に関して、基準識別＝下流、デフォルト使用インタフェース種別＝１５０Ｍインタフェース、が設定されていたとする。
【００３２】
それぞれの伝送装置Ａ及びＢが立ち上がったとき、伝送装置Ｂは図１３の処理（ａ）により、伝送路インタフェース情報テーブルのデフォルトインタフェース識別の値を基に、方路＃１切替え部内選択部１−４の送信選択を行う。この場合、デフォルトが６００Ｍなので、方路＃１切替え部内選択部１−４の選択を６００Ｍ光インタフェース部からの光信号を選択するように設定し、光折返し部１−３内の折返し設定を解除する。
【００３３】
その後は伝送装置内の監視処理の一部として、図１６のインタフェース部監視処理へ移行し、図１６の処理（ａ）において、光受信検出部１−２での光受信状態を定期的にチェックし、光受信有りの状態と無しの状態とが特定の間隔で受信有り／無しのパターンを連続して繰り返しているか確認する。
【００３４】
伝送装置Ａは図１４の処理（ａ）で、使用している全ての方路配下の各伝送路光インタフェース部について、伝送路インタフェース情報テーブルに定義されているデフォルト使用インタフェース識別の伝送路光インタフェース部にて、受信フレームが正常か否かをチェックする。この例の場合、デフォルト使用インタフェース種別が１５０Ｍであるので、１５０Ｍ光インタフェース部１−７の受信フレームの状態のチェックを行う。
【００３５】
上記の場合、接続されている光インタフェース種別が対向装置のものと異なり誤っているため、受信フレーム確認リトライオーバーとなり、図１５の処理（ｇ）により、伝送路インタフェース情報テーブルに定義されている使用インタフェース識別の光折返し設定時間及び解除時間を求める。この場合、１５０Ｍ光インタフェース部であるので、折返し時間は４秒、解除時間は４秒となる。
【００３６】
次に図１５の処理（ｈ）により、上記の処理で抽出した折返し時間間隔で、方路＃１切替え部内光折返し部１−３にて、折返し設定と折り返し解除設定とを継続的に行う。この例の場合、４秒折り返し設定→４秒折返し解除設定→４秒折返し設定→４秒折返し解除設定・・・を継続する。また、使用インタフェース種別に該当する方路＃１配下の１５０Ｍ光インタフェース部において、１分間継続的に受信フレームが正常になるかをチェックする。
【００３７】
これにより、伝送装置Ｂにおいて図１６の処理（ａ）により、光受信検出部１−２で光信号の受信状態が特定間隔で受信有り／無しのパターンになっていることを確認し、受信間隔を確定する。次に図１６の処理（ｃ）により、光の受信時間と未受信時間との間隔を基に、対向する伝送路装置の伝送路光インタフェース識別を特定する。この場合、４秒受信、４秒未受信であることを識別し、対向側伝送路光インタフェースの種類は１５０Ｍ光インタフェース部であると判定し、図１６の処理（ｄ）により、選択部１−４の送信系選択を、６００Ｍ光インタフェース部１−６から１５０Ｍ光インタフェース部１−７へ切替える。これにより、図４に示す状態となる。
【００３８】
次に伝送装置Ａ側にて、図１５の処理（ｈ）により、使用インタフェース種別に該当する方路＃１配下の１５０Ｍ光インタフェース部１−７において、受信フレームが正常になることを確定し、図１５の処理（ｊ）により、方路＃１切替え部内選択部１−４の送信系の選択を１５０Ｍ光インタフェース側に設定し、光折返し部１−３の折返し状態を解除設定にする。これにより図５に示す状態となる。なお、各伝送装置は立ち上がり後、図１６の処理（ａ）にて、使用している全ての方路＃ｘ切替え部内の光受信検出部１−２について、光の受信有無状態を定期的にチェックする。
【００３９】
次に、図５のように伝送装置Ａ−伝送装置Ｂ間が１５０Ｍ光インタフェース種別のインタフェースで接続された状態から、６００Ｍ光インタフェース種別のインタフェースに変更する場合について説明する。この場合、図６に示すように、ネットワーク監視装置６−１から伝送装置Ｂに対して、該当する方路、この場合は方路＃１配下の使用伝送路光インタフェース種別を６００Ｍ光インタフェースへ切替える切替え指示コマンドを発行する。
【００４０】
伝送装置Ｂは、図１７の処理（ａ）により、切替先光インタフェース種別に該当する光折返し時間と解除時間を、図２のインタフェース情報テーブルから求める。この場合、切替先光インタフェース種別は６００Ｍ光インタフェースであるので、折返し時間は６秒、解除時間は６秒となる。
【００４１】
次に図１７の処理（ｂ）により、方路＃１切替え部内の光折返し部１−３にて、折返し設定と折り返し解除設定とを継続的に行う。この場合は６秒折り返し設定→６秒折返し解除設定→６秒折返し設定→６秒折返し解除設定・・・を継続する。また、使用光インタフェース種別である６００Ｍ光インタフェース部１−６において、１分間継続的に受信フレームが正常になるかをチェックする。
【００４２】
これにより、伝送装置Ａでは、図１６のインタフェース部監視処理の処理（ａ）により、光受信検出部１−２にて光の受信状態が特定間隔で受信有り／無しのパターンになっていることを確認する。次に図１６の処理（ｃ）により、受信時間及び未受信時間の間隔を基に、対向する伝送路装置の伝送路光インタフェース種別を識別し特定する。この場合、６秒受信、６秒未受信であるので、対向側伝送路光インタフェースの種別は６００Ｍ光インタフェースであると判定し、図１６の処理（ｄ）により、選択部１−４の送信系選択を１５０Ｍ光インタフェース部１−７から６００Ｍ光インタフェース部１−６へ切替える。この時の動作を図７に示している。
【００４３】
次に伝送装置Ｂ側では、図１７の処理（ｃ）において、使用インタフェース種別である方路＃１配下の６００Ｍ光インタフェース部１−６で受信フレームが正常になることを確定し、同図の処理（ｄ）にて方路＃１切替え部内選択部１−４の選択を、６００Ｍ光インタフェース側に設定し、方路＃１切替え部内折返し部１−３の折返し状態を解除設定にする。これにより図８に示す状態となり、伝送装置Ａ−伝送装置Ｂ間が６００Ｍ光インタフェースで接続されるように切替えることができる。
【００４４】
次に、本発明による伝送路障害に対する迂回のための切替え動作について説明する。各伝送装置において、各機能部の監視動作の中で、伝送路光インタフェース部の故障を検出すると、図１８の処理フローにより、迂回先光インタフェース部への切替え処理を行う。例えば、図８に示すように、伝送装置Ａ−伝送装置Ｂ間が６００Ｍ光インタフェースで接続されていた状態で、伝送装置Ｂで使用している方路＃１配下の６００Ｍ光インタフェース部１−６が故障した場合、図９に示す動作となり、図１８の処理（ｂ）により、故障した伝送路光インタフェース種別に応じて予め定められた迂回条件に従って、迂回先の伝送路光インタフェース部を求める。
【００４５】
この場合、故障した伝送路光インタフェース部が６００Ｍ光インタフェース部であるので、迂回先は方路＃１配下の１５０Ｍ光インタフェース部となる。伝送装置Ｂは、図１８の処理（ｃ）により、切替先光インタフェース種別に該当する光折返し時間と解除時間を、図２の伝送路インタフェース情報テーブルから求める。
【００４６】
この場合、切替先光インタフェースの種別は１５０Ｍインタフェースであるので、折返し時間は４秒、解除時間は４秒となる。次に図１８の処理（ｄ）により、方路＃１切替え部内光折返し部１−３にて、折返し設定と折り返し解除設定とを継続的に行う。この場合は４秒折り返し設定→４秒折返し解除設定→４秒折返し設定→４秒折返し解除設定・・・を継続する。
【００４７】
また、使用インタフェース種別である方路＃１配下の１５０Ｍ光インタフェース部において、１分間継続的に受信フレームが正常になるかをチェックする。これにより、伝送装置Ａにおいて、図１６のインタフェース部監視処理フローの処理（ａ）により、光受信検出部１−２で光の受信状態が特定間隔で受信有り／無しのパターンになっていることを確認する。
【００４８】
次に図１６の処理（ｃ）により、受信時間及び未受信時間の間隔を基に、対向する伝送路装置の光インタフェース種別を識別し特定する。この場合、４秒受信、４秒未受信となり、対向側の光インタフェース種別は１５０Ｍ光インタフェースであると判定することができ、同図の処理（ｄ）により、選択部１−４の送信系選択を６００Ｍ光インタフェース部１−６から１５０Ｍ光インタフェース部１−７へ切替える。これにより図１０に示す状態となる。
【００４９】
次に伝送装置Ｂ側では、図１８の処理（ｄ）により、使用インタフェース種別である方路＃１配下の１５０Ｍ光インタフェース部１−７で、受信フレームが正常になることを確定し、同図の処理（ｆ）により、方路＃１切替え部内選択部１−４の選択を１５０Ｍ光インタフェースに設定し、方路＃１切替え部内折返し部１−３の折返し状態を解除設定にする。これにより図１１に示す状態となり、伝送装置Ａ−伝送装置Ｂ間が迂回先の１５０Ｍ光インタフェースで接続されるように切替えることができる。
【実施例】
【００５０】
次に、本発明の立ち上げ時の切替え動作の実施例について説明する。図１９に該実施例のネットワーク構成を示す。図中、伝送装置１００と伝送装置１１１とが既に接続され、ネットワーク構成している状態で、伝送装置１１２、１１３、２００を新規に増設して接続する場合において、図３１〜図３５に示すシーケンス図を参照して説明する。
【００５１】
伝送装置１００は図２６の伝送路インタフェース情報のデータベース、伝送装置１１１は図２７の伝送路インタフェース情報のデータベース、伝送装置１１２は図２８の伝送路インタフェース情報のデータベース、伝送装置１１３は図２９の伝送路インタフェース情報のデータベース、伝送装置２００は図３０の伝送路インタフェース情報のデータベースをそれぞれ予め有し、それぞれそれらを使用する。各伝送装置は立ち上げ時において、各伝送路インタフェース情報を基に、基準識別が上流の伝送路方路については図１３の処理フローを、基準識別が下流の伝送路方路については図１４の処理フローに従って動作する。
【００５２】
また、立ち上げ後は伝送装置内の監視動作の一部として図１６フローの動作を行う。伝送装置１００−伝送装置１１１間は、既に２．４Ｇ光インタフェース種別で接続を確立している状態とする。この状態から伝送装置１１２が新たに接続された場合の動作シーケンス図を図３１に示す。伝送装置１１１では、インタフェース部情報方路＃１の基準識別（図２７参照）が上流であり、デフォルト使用選択系が２．４Ｇであるため、前述したように方路＃１切替え部内選択部の送信系選択を２．４Ｇ光インタフェース部に切替える。
【００５３】
伝送装置１１２ではインタフェース情報方路＃２の基準識別が下流であるため、前述したように方路＃２切替え部配下の２．４Ｇ光インタフェース部において受信フレーム状態のチェックを行い、１分間以上正常であることを確認し、方路＃２切替え部内選択部の送信系選択を２．４Ｇに切替える。これにより図２０の状態となり、伝送装置１１１−伝送装置１１２間に２．４Ｇ光インタフェース種別で伝送路接続が確立され、最初から伝送装置間が共通の伝送路光インタフェース種別の情報が設定されていた場合でも、前述の処理フローによって接続確立される。
【００５４】
次に伝送装置１１１に伝送装置１１３を接続した場合の動作シーケンスを図３２及び図３３に示す。伝送装置１１１では、インタフェース部情報方路＃３の基準識別（図２７参照）が上流であり、デフォルト使用選択系が６００Ｍ光インタフェースであるため、前述したように、方路＃３切替え部内選択部の送信系選択を６００Ｍ光インタフェース部に設定し、図１６のインタフェース部監視処理へ移行する。
【００５５】
伝送装置１１３は、方路＃１は基準識別（図２９参照）が下流であり、デフォルト使用選択系が１５０Ｍであるため、方路＃１切替え部配下の１５０Ｍ光インタフェース部において受信フレーム状態のチェックを行う。この場合、受信フレーム確認リトライオーバーとなり、インタフェース情報テーブルより方路＃１切替え部の１５０Ｍインタフェース認識受信時間及び受信停止時間を抽出する。
【００５６】
この場合、上記の時間は４秒受信、４秒未受信となり、折返し設定時間４秒、折返し解除時間４秒となる。次に方路＃１切替え部内光折返し部にて、４秒折返し設定→４秒折返し解除設定→４秒折返し設定→４秒折返し解除設定・・・を継続する。伝送装置１１１は図１６のインタフェース部監視処理フローにて、方路＃３切替え部内光検出部の光受信状態を定期的にチェックし、光受信間隔確定の後、受信、未受信時間の間隔の長さよりインタフェース部の種別を識別する。
【００５７】
この場合、４秒受信、４秒未受信の確定により、対向側伝送路光インタフェースの種別は１５０Ｍ光インタフェース部であることを認識し、方路＃３切替え部内選択部の送信系選択を１５０Ｍ光インタフェース部に切替える。その後、伝送装置１１３では方路＃１切替え部配下の１５０Ｍインタフェース部の受信フレーム状態をチェックし、１分間以上継続的に受信フレーム状態の正常を確認し、方路＃１切替え部内選択部の送信系選択を１５０Ｍに切替え、方路＃１切替え部内光折返し部の折返し設定を解除設定にする。これにより伝送装置１１１−伝送装置１１３間は、１５０Ｍ光インタフェース種別で伝送路接続が確立される。
【００５８】
次に、伝送装置１００に伝送装置２００を接続した場合の動作シーケンス図を図３４及び図３５に示す。伝送装置２００は小型伝送装置であり、使用する光インタフェース種別は５０Ｍ光インタフェース部のみとなっている。図３２及び図３３の動作シーケンスと同様に、伝送装置１００の方路＃３切替え部内選択系の送信選択系が最初に６００Ｍ光インタフェース部を選択していた状態であっても、前述と同様の動作シーケンスより、方路＃３切替え部内選択系の送信選択は５０Ｍ光インタフェース部に切替えられ、伝送装置１００−伝送装置２００間は、５０Ｍ光インタフェース種別で伝送路接続が確立できる。これにより図２１の状態になる。
【００５９】
以上の動作により、最初に伝送装置間の接続が誤って異なった伝送路光インタフェース種別で接続されていた状態であっても、その状態から正しい伝送路光インタフェース種別での接続へ自動的にリカバリでき、また、自身の伝送装置側で、対向する伝送装置の使用伝送路光インタフェース種別を予め認識していなくても、自動的に対向する伝送値側の伝送路光インタフェース種別を認識してその光インタフェース種別に切替えられることが可能となる。
【００６０】
次に、本発明のコマンドによる切替え動作の実施例について説明する。図２２に示すネットワーク構成において、伝送装置１１１−伝送装置１１３間が１５０Ｍ光インタフェース種別で接続されている状態において、ネットワークを監視しているネットワーク監視装置からの指示によって、伝送装置１１１−伝送装置１１３間の伝送路接続を、他の光インタフェース種別へ切替える動作について、図３６及び図３７の動作シーケンス図とともに説明する。
【００６１】
ネットワーク監視装置から伝送装置１１１に対して、伝送装置１１１の方路＃３と伝送装置１１３の方路＃１との間の伝送路光インタフェース接続を、６００Ｍ光インタフェース種別の接続に切替える指示を発行する。該切替え指示を受信した伝送装置１１１は、図１７のフローによりインタフェース情報テーブルより方路＃３の６００Ｍ光インタフェース種別に関する認識時間を抽出する。
【００６２】
この場合、上記認識時間は６秒受信、６秒未受信となり、折返し設定時間６秒、折返し解除時間６秒となる。次に方路＃３切替え部内光折返し部にて、６秒折返し設定→６秒折返し解除設定→６秒折返し設定→６秒折返し解除設定・・・を継続する。伝送装置１１３は、図１６のインタフェース部監視処理フローにて方路＃１切替え部内光検出部の光受信状態を定期的にチェックし、光受信間隔確定後、受信、未受信時間の間隔の長さよりインタフェース部の種別を識別する。
【００６３】
この場合、６秒受信、６秒未受信の確定により、対向側の伝送路光インタフェースの種別は６００Ｍ光インタフェース部であることを認識し、方路＃１切替え部内選択部の送信系選択を６００Ｍ光インタフェース部に切替える。その後、伝送装置１１１では、方路＃３切替え部配下の６００Ｍインタフェース部の受信フレーム状態をチェックし、１分間以上継続的に受信フレーム状態の正常を確認し、方路＃３切替え部内選択部の送信系選択を６００Ｍに切替え、方路＃３切替え部内光折返し部の折返し設定を解除設定にする。
【００６４】
これにより伝送装置１１１−伝送装置１１３間は、６００Ｍ光インタフェース種別で接続が確立される。これにより、図２３の状態になる。以上の動作により、ネットワーク監視装置から片方の伝送装置に対して光インタフェース種別の切替え指示を行うだけで、対向するもう一方の伝送装置が自動的に追従して光インタフェース種別を切替えることが可能となる。
【００６５】
次に本発明の迂回切替えの実施例について説明する。図２４に示すネットワーク構成において、伝送装置１１１−伝送装置１１３間が６００Ｍ光インタフェース種別で接続されている状態において、伝送装置１１３にて使用している６００Ｍ光インタフェース部が故障した場合に、迂回先の光インタフェース部への切替え動作について、図３８及び図３９の動作シーケンス図とともに説明する。
【００６６】
伝送装置１１３は、定期的に各インタフェース部の状態を監視し、故障が検出した場合、図１８のフローにより、故障を検出した光インタフェース部の迂回先光インタフェース部を求める。この場合、方路＃１の６００Ｍ光インタフェース部が故障であるので、迂回先光インタフェース部は方路＃１の１５０Ｍ光インタフェース部となる。
【００６７】
次に、インタフェース情報テーブルより方路＃１の１５０Ｍ光インタフェースに関する認識時間を抽出する。この場合は４秒受信、４秒未受信となり、折返し設定時間４秒、折返し解除時間４秒となる。次に方路＃１切替え部内光折返し部にて、４秒折返し設定→４秒折返し解除設定→４秒折返し設定→４秒折返し解除設定・・・を継続する。
【００６８】
伝送装置１１１は、図１６のインタフェース部監祝処理フローにて、方路＃３切替え部内光検出部の光受信状態を定期的にチェックし、光受信間隔確定後、受信、未受信時間の間隔の長さよりインタフェース部の種別を識別する。この場合、４秒受信、４秒未受信の確定となり、対向側伝送路光インタフェースの種別は１５００Ｍ光インタフェース部であることを認識し、方路＃３切替え部内選択部の送信系選択を１５０Ｍ光インタフェース部に切替える。
【００６９】
その後、伝送装置１１３では、方路＃１切替え部配下の１５０Ｍインタフェース部の受信フレーム状態をチェックし、１分間以上継続的に受信フレーム状態の正常を確認し、方路＃１切替え部内選択部の送信系選択を１５０Ｍに切替え、方路＃１切替え部内光折返し部の折返し設定を解除設定にする。これにより伝送装置１１１−伝送装置１１３間は１５０Ｍ光インタフェース種別で伝送路接続が確立される。
【００７０】
これにより図２５の状態になる。以上の動作により、対向する伝送装置間の一方の伝送装置で伝送路光インタフェース部が故障し、迂回先伝送路光インタフェース部に切替えた場合に、対向するもう一方の伝送装置では自動的にこれに追従して対応する光インタフェース種別の伝送路光インタフェース部に切替えることで、伝送装置間で故障伝送路の自動迂回が可能となる。
【図面の簡単な説明】
【００７１】
【図１】本発明の伝送装置内の全体の機能ブロックを示す図である。
【図２】本発明の伝送路インタフェース部情報のデータベース構成を示す図である。
【図３】本発明の接続異常時の切替え動作（１／３）を示す図である。
【図４】本発明の接続異常時の切替え動作（２／３）を示す図である。
【図５】本発明の接続異常時の切替え動作（３／３）を示す図である。
【図６】本発明のコマンドによる切替え動作（１／３）を示す図である。
【図７】本発明のコマンドによる切替え動作（２／３）を示す図である。
【図８】本発明のコマンドによる切替え動作（３／３）を示す図である。
【図９】本発明の迂回切替え動作（１／３）を示す図である。
【図１０】本発明の迂回切替え動作（２／３）を示す図である。
【図１１】本発明の迂回切替え動作（３／３）を示す図である。
【図１２】伝送路フレームのフォーマットを示す図である。
【図１３】本発明の上流装置側の立ち上げ処理のフローを示す図である。
【図１４】本発明の下流装置側の立ち上げ処理のフロー（１／２）を示す図である。
【図１５】本発明の下流装置側の立ち上げ処理のフロー（２／２）を示す図である。
【図１６】本発明のインタフェース部監視処理のフローを示す図である。
【図１７】本発明のコマンド切替え処理のフローを示す図である。
【図１８】本発明の迂回切替え処理のフローを示す図である。
【図１９】本発明の立ち上げ時の切替え動作の実施例（１／３）を示す図である。
【図２０】本発明の立ち上げ時の切替え動作の実施例（２／３）を示す図である。
【図２１】本発明の立ち上げ時の切替え動作の実施例（３／３）を示す図である。
【図２２】本発明のコマンドによる切替え動作の実施例（１／２）を示す図である。
【図２３】本発明のコマンドによる切替え動作の実施例（２／２）を示す図である。
【図２４】本発明の迂回切り替え動作の実施例（１／２）を示す図である。
【図２５】本発明の迂回切り替え動作の実施例（２／２）を示す図である。
【図２６】本発明の伝送装置１００のデータベース構成の実施例を示す図である。
【図２７】本発明の伝送装置１１１のデータベース構成の実施例を示す図である。
【図２８】本発明の伝送装置１１２のデータベース構成の実施例を示す図である。
【図２９】本発明の伝送装置１１３のデータベース構成の実施例を示す図である。
【図３０】本発明の伝送装置２００のデータベース構成の実施例を示す図である。
【図３１】本発明の立ち上げ時の切替え動作の第１の実施例のシーケンスを示す図である。
【図３２】本発明の立ち上げ時の切替え動作の第２の実施例のシーケンス（１／２）を示す図である。
【図３３】本発明の立ち上げ時の切替え動作の第２の実施例のシーケンス（２／２）を示す図である。
【図３４】本発明の立ち上げ時の切替え動作の第３の実施例のシーケンス（１／２）を示す図である。
【図３５】本発明の立ち上げ時の切替え動作の第３の実施例のシーケンス（２／２）を示す図である。
【図３６】本発明のコマンドによる切替え動作の実施例のシーケンス（１／２）を示す図である。
【図３７】本発明のコマンドによる切替え動作の実施例のシーケンス（２／２）を示す図である。
【図３８】本発明の迂回切り替え動作の実施例のシーケンス（１／２）を示す図である。
【図３９】本発明の迂回切り替え動作の実施例のシーケンス（２／２）を示す図である。
【図４０】従来のネットワーク構成での異常接続時の一例を示す図である。
【図４１】従来のネットワーク構成での異常接続時の復旧作業の一例を示す図である。
【符号の説明】
【００７２】
１−１  方路＃ｘ（ｘ＝１〜ｎ）毎の切替え部
１−２  光受信検出部
１−３  光折返し部
１−４  選択部
１−５  ２．４Ｇ光インタフェース部
１−６  ６００Ｍ光インタフェース部
１−７  １５０Ｍ光インタフェース部
１−８  ５０Ｍ光インタフェース部
１−９  多重化部
１−１０  端末インタフェース部
１−１１  監視制御部
１−１２  データベース記憶部
１−１３  ネットワーク監視装置インタフェース部
【図１】
0004652218.tif 000002
【図２】
0004652218.tif 000003
【図３】
0004652218.tif 000004
【図４】
0004652218.tif 000005
【図５】
0004652218.tif 000006
【図６】
0004652218.tif 000007
【図７】
0004652218.tif 000008
【図８】
0004652218.tif 000009
【図９】
0004652218.tif 000010
【図１０】
0004652218.tif 000011
【図１１】
0004652218.tif 000012
【図１２】
0004652218.tif 000013
【図１３】
0004652218.tif 000014
【図１４】
0004652218.tif 000015
【図１５】
0004652218.tif 000016
【図１６】
0004652218.tif 000017
【図１７】
0004652218.tif 000018
【図１８】
0004652218.tif 000019
【図１９】
0004652218.tif 000020
【図２０】
0004652218.tif 000021
【図２１】
0004652218.tif 000022
【図２２】
0004652218.tif 000023
【図２３】
0004652218.tif 000024
【図２４】
0004652218.tif 000025
【図２５】
0004652218.tif 000026
【図２６】
0004652218.tif 000027
【図２７】
0004652218.tif 000028
【図２８】
0004652218.tif 000029
【図２９】
0004652218.tif 000030
【図３０】
0004652218.tif 000031
【図３１】
0004652218.tif 000032
【図３２】
0004652218.tif 000033
【図３３】
0004652218.tif 000034
【図３４】
0004652218.tif 000035
【図３５】
0004652218.tif 000036
【図３６】
0004652218.tif 000037
【図３７】
0004652218.tif 000038
【図３８】
0004652218.tif 000039
【図３９】
0004652218.tif 000040
【図４０】
0004652218.tif 000041
【図４１】
0004652218.tif 000042